(57)【要約】【課題】構造を簡素化してコストの増大を抑えつつ、操作性の柔軟度を向上できる紙葉類処理装置及び紙葉類処理方法を提供することを目的とする。【解決手段】紙葉類処理装置は、紙葉類を集積するための複数のポケット部２６ａ乃至２６ｄを有する集積ユニット４０と、集積ユニット４０の少なくとも１つのポケット部を排除集積部として設定する第１設定部１０７Ａと、を備えている。供給部２にセットされた紙葉類Ｐは、ピックアップローラ５及び分離搬送部３２により取り出され、判定部９により正券または排除券のいずれかに判定される。排除券として判定された紙葉類Ｐは、第１設定部１０７Ａにより排除集積部として設定されたポケット部に集積される。【選択図】　　　　図１
2004062224.tif 000002
【特許請求の範囲】
【請求項１】
紙葉類を集積する複数の集積部と、
前記複数の集積部から少なくとも１つの集積部を排除集積部として設定する設定手段と、
紙葉類を取り出す取出手段と、
前記取出手段により取り出された紙葉類を正券または排除券のいずれかに判定する判定手段と、
前記判定手段により排除券として判定された紙葉類を前記設定手段により設定された前記排除集積部に集積させる制御手段と、
を備えたことを特徴とする紙葉類処理装置。
【請求項２】
紙葉類の搬送方向に沿って配置され紙葉類を集積する複数の集積部と、
前記複数の集積部における搬送方向上流側に配置された少なくとも１つの集積部を排除集積部として設定する設定手段と、
紙葉類を取り出す取出手段と、
前記取出手段により取り出された紙葉類を正券または排除券のいずれかに判定する判定手段と、
前記判定手段により排除券として判定された紙葉類を前記設定手段により設定された前記排除集積部に集積させる制御手段と、
を備えたことを特徴とする紙葉類処理装置。
【請求項３】
紙葉類を集積する複数の集積部と、
前記複数の集積部から少なくとも１つの集積部を排除集積部として設定する第１設定手段と、
前記複数の集積部に集積される紙葉類のカテゴリを設定する第２設定手段と、
紙葉類を取り出す取出手段と、
前記取出手段により取り出された紙葉類を正券または排除券のいずれかに判定する第１判定手段と、
前記第１判定手段により正券と判定された紙葉類のカテゴリを判定する第２判定手段と、
前記第１判定手段により排除券として判定された紙葉類を前記第１設定手段により設定された前記排除集積部に集積させ、前記第２判定手段により判定されたカテゴリに基づいて紙葉類を前記第２設定手段により設定された前記集積部に集積させる制御手段と、
を備えたことを特徴とする紙葉類処理装置。
【請求項４】
紙葉類を集積する複数の集積部と、
前記複数の集積部から少なくとも１つの集積部を排除集積部として設定する設定手段と、
紙葉類を取り出す取出手段と、
前記取出手段により取り出された紙葉類を正券または排除券のいずれかに判定する判定手段と、
前記判定手段により排除券として判定された紙葉類を前記設定手段により設定された前記排除集積部に集積させる制御手段と、
前記複数の集積部にそれぞれ対応して設けられた表示手段と、
前記設定手段による設定時において排除集積部として設定された集積部に対応して設けられた前記表示手段に排除集積部である旨を表示させ、前記集積部への紙葉類の集積時において紙葉類の集積枚数を表示させる表示制御手段と、
を備えたことを特徴とする紙葉類処理装置。
【請求項５】
前記排除集積部として設定される集積部は他の集積部と同一の構造を有したことを特徴とする請求項１乃至４のいずれか１項に記載の紙葉類処理装置。
【請求項６】
紙葉類を集積するための複数の集積部のうち、少なくとも１つの集積部を排除集積部として設定し、
紙葉類を取り出し、
取り出された紙葉類を正券または排除券のいずれかに判定し、
排除券として判定された紙葉類を排除集積部として設定された集積部に集積する、ことを特徴とする紙葉類処理方法。
【請求項７】
紙葉類の搬送方向に沿って配置した複数の集積部のうち、搬送方向上流側に配置された少なくとも１つの集積部を排除集積部として設定し、
紙葉類を取り出し、
取り出された紙葉類を正券または排除券のいずれかに判定し、
排除券として判定された紙葉類を排除集積部として設定された集積部に集積する、ことを特徴とする紙葉類処理方法。
【請求項８】
紙葉類を集積するための複数の集積部のうち、少なくとも１つの集積部を排除集積部として設定し、
他の集積部に集積される紙葉類のカテゴリを設定し、
紙葉類を取り出し、
取り出された紙葉類を正券または排除券のいずれかに判定し、
正券と判定された紙葉類のカテゴリを判定し、
排除券として判定された紙葉類を排除集積部に集積させ、判定されたカテゴリに基づいて紙葉類を対応する集積部に集積させる、ことを特徴とする紙葉類処理方法。
【請求項９】
紙葉類を集積するための複数の集積部のうち、少なくとも１つの集積部を排除集積部として設定し、
紙葉類を取り出し、
取り出された紙葉類を正券または排除券のいずれかに判定し、
排除券として判定された紙葉類を排除集積部に集積させ、
設定時において排除集積部として設定された集積部に対応して設けられた表示手段に排除集積部である旨を表示させ、
集積部への紙葉類の集積時において紙葉類の集積枚数を表示させる、ことを特徴とする紙葉類処理方法。
【発明の詳細な説明】
【０００１】
【発明の属する技術分野】
この発明は、紙葉類処理装置及び紙葉類処理方法に係り、特に、紙幣等の紙葉類をカテゴリ毎に集積したときに排除券として判定された紙葉類の集積方法に関する。
【０００２】
【従来の技術】
紙葉類処理装置は、多種の紙幣などの紙葉類を一括して収容し、１枚ずつ取り出し、取り出した紙葉類を正券または排除券として判定し、正券として判定された紙葉類の券種などのカテゴリを判定し、カテゴリ毎にポケット部に集積するものである。このような紙葉類処理装置では、排除券として判定された紙葉類は、正券として判定された紙葉類を集積するポケット部とは別個に設けられた専用の排除集積部に集積される。
【０００３】
【発明が解決しようとする課題】
しかしながら、このような紙葉類処理装置では、専用の排除集積部を設けるためのスペースを確保する必要がある。このため、紙葉類処理装置の筐体が大きくなり、設計の自由度を制限してしまう問題がある。また、専用の排除集積部の容量は予め決まっているため、必要に応じて容量を変更することができない。
【０００４】
また、上述したような紙葉類処理装置では、専用の排除集積部に紙葉類を搬送するための搬送路を設ける必要がある。このため、コストの増大を招くことになる。
【０００５】
そこで、この発明は、上述した課題に鑑みなされたものであって、構造を簡素化してコストの増大を抑えつつ、操作性の柔軟度を向上できる紙葉類処理装置及び紙葉類処理方法を提供することを目的とする。
【０００６】
【課題を解決するための手段】
この発明の第１の様態による紙葉類処理装置は、
紙葉類を集積する複数の集積部と、
前記複数の集積部から少なくとも１つの集積部を排除集積部として設定する設定手段と、
紙葉類を取り出す取出手段と、
前記取出手段により取り出された紙葉類を正券または排除券のいずれかに判定する判定手段と、
前記判定手段により排除券として判定された紙葉類を前記設定手段により設定された前記排除集積部に集積させる制御手段と、
を備えたことを特徴とする。
【０００７】
この発明の第２の様態による紙葉類処理方法は、
紙葉類を集積するための複数の集積部のうち、少なくとも１つの集積部を排除集積部として設定し、
紙葉類を取り出し、
取り出された紙葉類を正券または排除券のいずれかに判定し、
排除券として判定された紙葉類を排除集積部として設定された集積部に集積する、ことを特徴とする。
【０００８】
【発明の実施の形態】
以下、この発明の一実施の形態に係る紙葉類処理装置及び紙葉類処理方法について図面を参照して詳細に説明する。
図１に示すように、紙葉類処理装置は、紙葉類としての紙幣を券種などのカテゴリ毎に集積する筐体１と、制御ユニット１００とを備えて構成されている。制御ユニット１００は、オペレータ操作に基づいて筐体１における各部の動作を制御するものである。
【０００９】
この筐体１の一側中央部には、テーブル部１Ａが設けられている。このテーブル部１Ａには、取出手段として機能する紙幣供給部２が設けられている。この紙幣供給部２には、紙葉類の有無に基づいた出力信号を出力する紙幣検知センサＳが設けられている。このような紙幣供給部２には、紙葉類としての紙幣Ｐが立位状態で複数枚収容可能である。
【００１０】
この紙幣Ｐは、バネ３で付勢されたバックアップ板４によって送出ローラとしてのピックアップローラ５に押し付けられている。この紙幣Ｐは、ピックアップローラ５の回転により下方部に配設された分離搬送部３２に送り出される。分離搬送部３２から搬出された紙幣Ｐは、ベルト６とローラ７とにより構成されたクランプ式の搬送機構Ｈにより搬送される。
【００１１】
この搬送機構Ｈには、取り出された紙幣Ｐのシフトとスキューを自動補正する姿勢補正装置８が設けられている。搬送手段Ｈの紙幣搬送方向下流側には、判定手段として機能する判定部９が設けられている。この判定部９は、ローラ対１０で搬送される紙幣Ｐの表裏面から各種情報を読み取り、それを論理演算し、基準になる情報と比較することによって、汚れや、破損の有無、券種、天地及び表裏の４方向を判定する。
【００１２】
すなわち、この判定部９は、紙幣Ｐを再利用可能な正券または再利用不可能な排除券のいずれかに判定する第１判定手段として機能する。また、この判定部９は、正券と判定した紙幣のカテゴリを判定する第２判定手段として機能する。
【００１３】
判定部９の紙幣搬送方向下流側には、分岐装置１３が設けられている。この分岐装置１３は、紙幣Ｐの搬送方向を第１及び第２方向に分けるものである。第１方向には、左右反転パス１４が設けられている。この左右反転パス１４は、紙幣Ｐを左右１８０度反転するヒネリベルト１５を有している。第２方向には、単なるベルト搬送部１６が設けられ、紙幣Ｐをそのままの状態で搬送する。第１及び第２方向に分岐されて搬送された紙幣Ｐは、合流部１７で合流する。この合流部１７までの経路長は、等しく、紙幣合流後の間隔がズレないように構成されている。
【００１４】
合流部１７の紙幣搬送方向下流側には、分岐装置１８が設けられている。この分岐装置１８により、紙幣Ｐの搬送方向が第３及び第４方向に分岐される。第３方向には、スイッチバックパス部１９が設けられている。スイッチバックパス部１９には、紙幣Ｐを導入させる反転箱２０、及び、この反転箱２０に導かれた紙幣Ｐの後端を反転ローラ２１ａに押し付けるタタキ車２１が設けられている。紙幣Ｐは、反転箱２０から送り出されることにより、その天地が反転されて搬送される。
【００１５】
第４方向には、単なるベルト搬送部２２が設けられ、紙幣Ｐは、そのままの姿勢を維持して搬送される。第３及び第４方向に分岐されて搬送された紙幣Ｐは、合流部２３で合流する。この合流部２３までの分岐パスの経路長は、等しく、紙幣合流後の間隔がズレないように構成されている。
【００１６】
合流部２３の紙幣搬送方向下流側には、集積手段として機能する集積ユニット４０が設けられている。この集積ユニット４０には、合流部２３に連結された水平搬送路２４が設けられている。この水平搬送路２４には、カテゴリ別に区分して集積されるポケット部の数より一つ少ない数のゲート２５ａ乃至２５ｄが配設されている。
【００１７】
これらゲート２５ａ乃至２５ｄの下方部には、集積部として第１乃至第４ポケット部２６ａ乃至２６ｄが配設されている。これら第１乃至第４ポケット部２６ａ乃至２６ｄは、すべて同一の構造を有しており、水平搬送路２４上を搬送される紙幣の搬送方向沿って配置されている。また、これら第１乃至第４ポケット部２６ａ乃至２６ｄには、紙幣Ｐが水平状態に積み重ねて集積される。
【００１８】
各ポケット部２６ａ乃至２６ｄは、それぞれ排除券として判定された紙幣Ｐを集積する集積部、または、正券として判定された紙幣Ｐを券種などのカテゴリ別に集積する集積部として設定される。排除券として判定される紙幣Ｐは、例えば２枚取り紙幣、一定以上の大スキューの紙幣、汚れや破損の著しい紙幣等である。
【００１９】
ゲート２５ａの下方部には、施封装置２７が設けられている。施封装置２７は、紙幣Ｐを１００枚づつ集積する集積ポケット部２８と、この集積ポケット部２８から紙幣Ｐを搬送する搬送部２８ａと、この搬送部２８ａにより搬送された紙幣Ｐを紙帯３０で結束する帯巻部２９と、を有している。
【００２０】
第１乃至第４ポケット部２６ａ乃至２６ｄ、及び、集積ポケット部２８のそれぞれには、水平搬送路２４からゲート２５ａ乃至２５ｄを介して集積された紙幣Ｐの集積枚数を計数する計数手段として機能する計数部４１ａ乃至４１ｅが配置されている。
【００２１】
また、第１乃至第４ポケット部２６ａ乃至２６ｄ、及び、集積ポケット部２８の近傍には、それぞれに集積された紙幣Ｐの集積枚数を表示可能な表示手段として機能する表示部４２ａ乃至４２ｅが配置されている。図２に示すように、これらの表示部４２ａ乃至４２ｅは、例えば発光ダイオード（ＬＥＤ）によって構成され、３桁表示が可能であって、０枚から９９９枚まで計数された集積枚数を表示可能である。
【００２２】
また、これらの表示部４２ａ乃至４２ｅは、それぞれ集積枚数の他に、予め排除集積部として設定された所定のポケット部に対応して排除集積部である旨を表示可能である。さらに、これらの表示部４２ａ乃至４２ｅは、予めポケット部毎に設定したカテゴリ（例えば券種）を表示可能である。例えば、集積枚数は、図３の（ａ）に示すように表示される。
【００２３】
なお、排除集積部である旨及びカテゴリは、集積枚数とは異なるタイミングで表示される。例えば、排除集積部すなわちリジェクト部である旨は、図３の（ｂ）に示すように、設定時のみ「ＲＥＪ」と表示される。また、カテゴリは、図３の（ｃ）に示すように設定時のみ表示される。なお、カテゴリとして紙幣Ｐの券種を表示する場合、例えば、１０００円紙幣を集積するポケット部の表示部には、「１」と表示され、２０００円紙幣を集積するポケット部の表示部には、「２」と表示され、５０００円紙幣を集積するポケット部の表示部には、「５」と表示され、１００００円紙幣を集積するポケット部の表示部には、「１０」と表示される。なお、図３の（ｃ）に示した例では、１０００円を示す「１」をカテゴリとして表示している。
【００２４】
図１に示すように、制御ユニット１００は、例えば汎用パソコンシステムに専用アプリケーションソフトをインストールしたテラーマシンであり、ＣＰＵ１０１と、メモリ部１０３と、表示部１０５と、入力部１０７とを備えて構成されている。
【００２５】
すなわち、ＣＰＵ１０１は、各部の駆動を制御する制御手段として機能する。メモリ部１０３は、種々の制御データを記憶している。表示部１０５は、種々の情報を表示してオペレータに報知する。設定手段として機能する入力部１０７は、種々の情報を入力するために用いられる。
【００２６】
この入力部１０７は、排除集積部を設定するための第１設定手段として機能する第１設定部１０７Ａ、及び、カテゴリを設定するための第２設定手段として機能する第２設定部１０７Ｂを含んでいる。メモリ部１０３は、ポケット部毎に第１設定部１０７Ａを介して設定された排除集積部の位置や、ポケット部毎に第２設定部１０７Ｂを介して設定されたカテゴリなどに対応したデータを記憶する。
【００２７】
また、図４に示すように、ＣＰＵ１０１は、筐体１内におけるピックアップローラ５、分離搬送部３２、紙幣検知センサＳなどによって構成される紙幣供給部２の駆動を制御する。さらに、ＣＰＵ１０１は、判定部９の駆動を制御するとともに、判定部９における判定結果を取得する。
【００２８】
また、ＣＰＵ１０１は、搬送機構Ｈ、分岐装置１３、１８などによって構成される搬送部の駆動を制御する。さらに、ＣＰＵ１０１は、ゲート２５ａ乃至２５ｄ、第１乃至第４ポケット部２６ａ乃至２６ｄ、集積ポケット部２８、計数部４１ａ乃至４１ｅ、表示部４２ａ乃至４２ｅなどによって構成される集積ユニット４０の駆動を制御する。すなわち、ＣＰＵ１０１は、各表示部４２ａ乃至４２ｅの表示を制御する表示制御手段として機能する。
【００２９】
次に、図５に示したフローチャートを参照して排除集積部の設定及びカテゴリの設定を行うための前処理モードについて説明する。なお、ここでは、１箇所のポケット部を排除集積部として設定する場合について説明する。
【００３０】
まず、ＣＰＵ１０１は、入力部１０７を介して前処理モードの実行が選択されたか否かを判断する（ＳＴ１１）。ＣＰＵ１０１は、前処理モードの実行が選択されたと判断したのに基づいて（ＳＴ１１、Ｙ）、入力部１０７の第１設定部１０７Ａを介して排除集積部の設定を受け付けたか否かを判断する（ＳＴ１２）。
【００３１】
続いて、ＣＰＵ１０１は、排除集積部の設定を受け付けたと判断したのに基づいて（ＳＴ１２、Ｙ）、設定された排除集積部の位置に対応したデータをメモリ部１０３に記憶する（ＳＴ１３）。このとき、第１乃至第４ポケット部２６ａ乃至２６ｄのいずれか１つが排除集積部として設定される。
【００３２】
この例では、水平搬送路２４の搬送方向最上流に位置する第１ポケット部２６ａが排除集積部として設定されたものとする。メモリ部１０３には、第１ポケット部２６ａが排除集積部として設定された旨のデータが記憶される。
【００３３】
排除券として判定された紙幣Ｐは、搬送不良を招くおそれがあるため、その搬送経路はできるだけ短いことが望ましい。このため、この例のように、排除集積部の少なくとも１つは、搬送方向最上流に位置するポケット部に設定されることが望ましい。これにより、排除券による搬送不良の発生を防止することが可能となる。
【００３４】
続いて、ＣＰＵ１０１は、排除集積部として設定された第１ポケット部２６ａに対応して設けられた表示部４２ｂに排除集積部として設定された旨を表示させる（ＳＴ１４）。このとき、表示部４２ｂには、図３の（ｂ）に示すように、排除集積部として設定された旨「ＲＥＪ」が表示される。
【００３５】
続いて、ＣＰＵ１０１は、入力部１０７の第２設定部１０７Ｂを介してカテゴリの設定を受け付けたか否かを判断する（ＳＴ１５）。なお、この前処理モードでは、排除集積部の設定を行うことなく（ＳＴ１２、Ｎ）、最初にカテゴリの設定を行っても良い。
【００３６】
続いて、ＣＰＵ１０１は、カテゴリの設定を受け付けたと判断したのに基づいて（ＳＴ１５、Ｙ）、設定されたカテゴリに対応したデータをメモリ部１０３に記憶する（ＳＴ１６）。このとき、カテゴリは、第１乃至第４ポケット部２６ａ乃至２６ｄ及び集積ポケット部２８についてそれぞれ個別に指定可能である。
【００３７】
この例では、第２ポケット部６ｂには、カテゴリとして１０００円の券種が設定され、第３ポケット部２６ｃには、カテゴリとして５０００円の券種が設定され、第４ポケット部２６ｄには、カテゴリとして１００００円の券種が設定されたものとする。メモリ部１０３には、第２乃至第４ポケット部２６ｂ乃至２６ｄのそれぞれについて、設定された券種に対応したデータが記憶される。
【００３８】
続いて、ＣＰＵ１０１は、第２乃至第４ポケット部２６ｂ乃至２６ｄのそれぞれに対応して設けられた表示部４２ｃ乃至４２ｅに設定されたカテゴリを表示させる（ＳＴ１７）。このとき、各表示部４２ｃ乃至４２ｅには、図３の（ｃ）に示すように、設定されたカテゴリが表示される。
【００３９】
この例では、第２ポケット部２６ｂに対応して設けられた表示部４２ｃには、１０００円の券種を表わす「１」が表示される。第３ポケット部２６ｃに対応して設けられた表示部４２ｄには、５０００円の券種を表わす「５」が表示される。第４ポケット部２６ｄに対応して設けられた表示部４２ｅには、１００００円の券種を表わす「１０」が表示される。
【００４０】
続いて、ＣＰＵ１０１は、入力部１０７を介して前処理モードにおける排除集積部の設定及びカテゴリの設定を完了した旨の入力を受け付けたか否かを判断する（ＳＴ１８）。そして、ＣＰＵ１０１は、前処理モードを完了していない旨の入力を受け付けたのに基づいて（ＳＴ１８、Ｎ）、ステップＳＴ１２に戻って排除集積部の設定を受け付け、前処理モードを完了した旨の入力を受け付けたのに基づいて（ＳＴ１８、Ｙ）、前処理モードを終了する。
【００４１】
このような設定によって排除集積部を割り当てることにより、専用の排除集積部を設置する必要がなく、省スペース化を実現できるとともに、設計の自由度を向上することができる。また、専用の排除集積部に紙葉類を搬送するための搬送路を設ける必要がなく、しかも、正券を集積する集積部と同一構造の集積部を排除集積部として設定可能であるため、構造を簡素化することができ、コストの増大を抑えることが可能となる。
【００４２】
また、搬送方向の最上流に位置する集積部を排除集積部として設定することにより、排除券を最短で回収することができる。このため、排除券による搬送不良の発生を抑制することが可能となる。
【００４３】
さらに、排除集積部を操作性を考慮して任意の位置の集積部に設定することができる。すなわち、図５に示した例では、第１ポケット部２６ａを排除集積部として設定したが、他の集積部のいずれか１つを排除集積部として設定しても良い。これにより、操作性の柔軟度を向上することが可能となる。また、この例では、第１ポケット部２６ａのみを排除集積部として設定したが、２箇所の集積部を排除集積部として設定しても良い。これにより、排除券の集積容量を変更することができ、排除券の発生率が高い場合には排除券の集積容量を増大することが可能となる。
【００４４】
また、排除集積部として設定された集積部に対応して設けられた表示部には、排除集積部である旨が表示される。これにより、オペレータが排除集積部として設定した集積部の位置を認識しやすくなり、誤操作を防止することが可能となる。
【００４５】
次に、図６に示したフローチャートを参照して紙幣の集積モードについて説明する。
【００４６】
まず、ＣＰＵ１０１は、入力部１０７を介した操作により紙幣Ｐの取出動作の開始が要求されたか否かを判断する（ＳＴ２１）。ＣＰＵ１０１は、取出動作の開始が要求されたと判断したのに基づいて（ＳＴ２１、Ｙ）、紙幣検知センサＳからの出力信号に基づいて、紙幣供給部２に取り出す紙幣Ｐが有るか否かを判断する（ＳＴ２２）。
【００４７】
続いて、ＣＰＵ１０１は、取り出す紙幣Ｐが有ると判断したのに基づいて（ＳＴ２２、Ｙ）、紙幣供給部２の駆動を制御してピックアップローラ５や分離搬送部３２により紙幣Ｐの取出動作を行う（ＳＴ２３）。また、ＣＰＵ１０１は、搬送部１１０の駆動を制御して取り出した紙幣を搬送する。
【００４８】
続いて、ＣＰＵ１０１は、判定部９の駆動を制御して、通過する紙幣Ｐが排除券であるか正券であるかを判定する（ＳＴ２４）。そして、ＣＰＵ１０１は、紙幣Ｐが排除券であると判定したのに基づいて（ＳＴ２４、Ｙ）、紙幣Ｐを集積ユニット４０に搬送し、排除集積部として設定されたポケット部に集積する（ＳＴ２５）。
【００４９】
例えば、ＣＰＵ１０１は、判定部９により紙幣Ｐが排除券であると判定した場合、紙幣Ｐの集積先として、メモリ部１０３に記憶されている設定データに基づいて排除集積部として設定された第１ポケット部２６ａを指定し、紙幣Ｐを第１ポケット部２６ａに集積する。
【００５０】
続いて、ＣＰＵ１０１は、計数部４１ｂからの出力信号に基づいて、排除集積部としての第１ポケット部２６ａに集積された紙幣Ｐの集積枚数を計数する（ＳＴ２６）。続いて、ＣＰＵ１０１は、表示部４２ｂを制御して、図３の（ａ）に示したように、計数部４１ｂを介して計数した集積枚数を表示させ（ＳＴ２７）、ステップＳＴ２２に戻る。
【００５１】
一方、ＣＰＵ１０１は、ステップＳＴ２４において、紙幣Ｐが正券であると判定したのに基づいて（ＳＴ２４、Ｎ）、紙幣Ｐのカテゴリを判定する（ＳＴ２８）。すなわち、ＣＰＵ１０１は、判定部９により紙幣Ｐのカテゴリとして券種を判定する。
【００５２】
続いて、ＣＰＵ１０１は、判定部９によるカテゴリの判定結果に基づいて、紙幣Ｐを集積ユニット４０に搬送し、対応するカテゴリに設定されたいずれかのポケット部２６ｂ乃至２６ｄに集積する（ＳＴ２９）。
【００５３】
例えば、ＣＰＵ１０１は、判定部９により紙幣Ｐのカテゴリが１０００円であると判定した場合、メモリ部１０３に記憶されている設定データに基づいて１０００円のカテゴリを有する紙幣Ｐの集積先として第２ポケット部２６ｂを指定し、紙幣Ｐを第２ポケット部２６ｂに集積する。同様に、ＣＰＵ１０１は、５０００円のカテゴリを有する紙幣Ｐを第３ポケット部２６ｃに集積し、１００００円のカテゴリを有する紙幣Ｐを第４ポケット部２６ｄに集積する。
【００５４】
続いて、ＣＰＵ１０１は、計数部４１ａ乃至４１ｅからの出力信号に基づいて、それぞれのポケット部に集積された紙幣Ｐの集積枚数を計数する（ＳＴ３０）。続いて、ＣＰＵ１０１は、各表示部４２ａ乃至４２ｅを制御して、図３の（ａ）に示したように、計数部４１ａ乃至４１ｅを介して計数した集積枚数を表示させ（ＳＴ３１）、ステップＳＴ２２に戻る。
【００５５】
また、ステップＳＴ２２において、ＣＰＵ１０１は、紙幣検知センサＳからの出力信号に基づいて、紙幣供給部２に取り出す紙幣Ｐがないと判断したのに基づいて（ＳＴ２２、Ｎ）、紙幣の集積モードを終了する。
【００５６】
なお、上述した例では、排除集積部として１つのポケット部を割り当てた場合について説明したが、複数のポケット部を排除集積部として設定した場合についても同様のフローチャートに基づいて処理可能である。
【００５７】
上述したように、この実施の形態に係る紙葉類処理装置及び紙葉類処理方法によれば、同一構造を有する複数のポケット部のうちの少なくとも１つを、排除券として判定された紙葉類を集積可能な排除集積部として設定したことにより、別個に専用の排除集積部を設ける必要がなくなる。このため、設計の自由度を向上することができるとともに、構造を簡素化することができる。
【００５８】
また、排除集積部を任意のポケット部に割り当てることが可能となり、操作性の柔軟度を向上することができるとともに、排除券の集積容量を任意に設定することができる。
【００５９】
さらに、複数の集積部は紙葉類の搬送方向に沿って配置され、搬送方向最上流側に位置するポケット部を排除集積部として設定することにより、排除券を最短経路で集積することができ、排除券による搬送不良の発生を未然に防止することができる。
【００６０】
また、各ポケット部に対応してそれぞれ表示部を設け、排除集積部を設定する設定時においては、排除集積部として設定されたポケット部に対応して設けられた表示部に、排除集積部である旨を表示することにより、オペレータに報知することができる。
【００６１】
なお、この発明は上記各実施の形態に限定されるものではなく、その実施の段階ではその要旨を逸脱しない範囲で種々な変形・変更が可能である。また、各実施の形態は可能な限り適宜組み合わせて実施されてもよく、その場合組み合わせによる効果が得られる。
【００６２】
【発明の効果】
以上説明したように、この発明によれば、構造を簡素化してコストの増大を抑えつつ、操作性の柔軟度を向上できる紙葉類処理装置及び紙葉類処理方法を提供することができる。
【図面の簡単な説明】
【図１】図１は、この発明の一実施の形態に係る紙葉類処理装置の構成を概略的に示す図である。
【図２】図２は、図１に示した紙葉類処理装置における各ポケット部に対応して設けられた表示部の一例を示す図である。
【図３】図３の（ａ）は、図２に示した表示部に集積枚数を表示した状態を示す図であり、図３の（ｂ）は、表示部に排除集積部である旨を表示した状態を示す図であり、図３の（ｃ）は、表示部にカテゴリを表示した状態を示す図である。
【図４】図４は、図１に示した紙葉類処理装置の構成を概略的に示すブロック図である。
【図５】図５は、図１に示した紙葉類処理装置に適用可能な前処理モードを説明するためのフローチャートである。
【図６】図６は、図１に示した紙葉類処理装置に適用可能な紙葉類の集積モードを説明するためのフローチャートである。
【符号の説明】
Ｐ…紙幣（紙葉類）
２…紙幣供給部（取出手段）
９…判定部（判定手段；第１判定手段、第２判定手段）
２６ａ〜２６ｄ…ポケット部（集積部）
４０…集積ユニット（集積手段）
４１ａ〜４１ｅ…計数部（計数手段）
４２ａ〜４２ｅ…表示部（表示手段）
１０１…ＣＰＵ（制御手段、表示制御手段）
１０３…メモリ部
１０７…入力部（設定手段）
１０７Ａ…第１設定部（第１設定手段）
１０７Ｂ…第２設定部（第２設定手段）
【図１】
2004062224.tif 000003
【図２】
2004062224.tif 000004
【図３】
2004062224.tif 000005
【図４】
2004062224.tif 000006
【図５】
2004062224.tif 000007
【図６】
2004062224.tif 000008